(57)【要約】【課題】印刷ユニットのメンテナンス性を向上させる。【解決手段】装置本体１の収容室４に、薬剤を包装する包装紙９に印刷を施すための印刷ユニット５を設ける。前記装置本体１の収容室４に、前記印刷ユニット５を引き出し可能に支持するスライド支持部材を設ける。【選択図】  図１
2004306973.tif 000002
【特許請求の範囲】
【請求項１】
装置本体の収容室に、薬剤を包装する包装紙に印刷を施すための印刷ユニットを設けた薬剤包装装置において、
前記装置本体の収容室に、前記印刷ユニットを引き出し可能に支持するスライド支持部材を設けたことを特徴とする薬剤包装装置。
【請求項２】
前記スライド支持部材を、複数のスライド支持部で構成し、各スライド支持部を引き出し可能に連接したことを特徴とする請求項１に記載の薬剤包装装置。
【請求項３】
前記スライド支持部材を、前記印刷ユニットの上方側に配置し、前記第１スライド支持部から前記第２スライド支持部を引き出した際、印刷ユニットの上方にスライド支持部材が位置しないように構成したことを特徴とする請求項２に記載の薬剤包装装置。
【請求項４】
前記各スライド支持部は、スライドガイドと、該スライドガイドに沿ってスライド自在なスライドレールとで構成したことを特徴とする請求項１乃至３のいずれか１項に記載の薬剤包装装置。
【請求項５】
前記スライド支持部を印刷ユニットの下方側に配置したことを特徴とする請求項１又は２に記載の薬剤包装装置。
【発明の詳細な説明】
【０００１】
【発明の属する技術分野】
本発明は、薬剤包装装置に関するものである。
【０００２】
【従来の技術】
従来、薬剤包装装置として、装置本体の前方にコンベア装置を引き出し可能に設けたものがある（例えば、特許文献１参照）。
【０００３】
【特許文献１】
特開平１１−１２４１１６号公報
【０００４】
【発明が解決しようとする課題】
しかしながら、前記薬剤包装装置では、コンベア装置を引き出すだけの構成であり、薬剤を包装する印刷ユニットにはこの構成は採用されていない。コンベア装置と同様に印刷ユニットを引き出し可能な構成としただけでは、印刷ユニットが装置本体の下方側に設けた限られた空間内に配置する関係上、引き出し寸法が不十分となり、印刷ユニットに設けたインクリボンの交換等、メンテナンスが非常に困難である。
【０００５】
そこで、本発明は、印刷ユニットのメンテナンス性に優れた薬剤包装装置を提供することを課題とする。
【０００６】
【課題を解決するための手段】
本発明は、前記課題を解決するための手段として、装置本体の収容室に、薬剤を包装する包装紙に印刷を施すための印刷ユニットを設けた薬剤包装装置において、
前記装置本体の収容室に、前記印刷ユニットを引き出し可能に支持するスライド支持部材を設けたものである。
【０００７】
この構成により、装置本体の収容室から印刷ユニットを引き出すことができ、メンテナンス性を向上させることが可能となる。
【０００８】
前記スライド支持部材を、複数のスライド支持部で構成し、各スライド支持部を引き出し可能に連接するのが好ましい。例えば、前記スライド支持部材を、前記装置本体から引き出し可能な第１スライド支持部と、該第１スライド支持部から引き出し可能で、前記印刷ユニットを支持する第２スライド支持部とで構成すればよい。
【０００９】
この構成により、装置本体の収容室が狭い場合であっても、スライド支持部材を複数のスライド支持部で構成することにより、引き出し寸法を大きく取ることができ、印刷ユニットをメンテナンス容易な位置まで引き出すことが可能となる。
【００１０】
前記スライド支持部材を、前記印刷ユニットの上方側に配置し、前記第１スライド支持部から前記第２スライド支持部を引き出した際、印刷ユニットの上方にスライド支持部材が位置しないように構成すると、印刷ユニットが露出し、そのメンテナンスを容易に行うことが可能となる点で好ましい。
【００１１】
前記各スライド支持部は、スライドガイドと、該スライドガイドに沿ってスライド自在なスライドレールとで構成すればよい。
【００１２】
前記スライド支持部を印刷ユニットの下方側に配置すると、印刷ユニットが露出し、そのメンテナンスを容易に行うことが可能となる点で好ましい。
【００１３】
【発明の実施の形態】
以下、本発明に係る実施形態を添付図面に従って説明する。
【００１４】
図１は、本実施形態に係る薬剤包装装置を示す。この薬剤包装装置は、装置本体１の上方側に、錠剤供給部２、及び、散薬供給部３を備え、下方側に形成される収容室４内に、印刷ユニット５、及び、包装ユニット６を配設されている。
【００１５】
錠剤供給部２は、格子状に形成された各ボックス内に、予め、１包分の錠剤を手撒きにより収容し、順次、各ボックスの底板を開放することにより、包装ユニット６で包装できるようにしたものである。
【００１６】
散薬供給部３は、Ｖ枡７に収容した散薬を、その下方に配置した複数の分割容器（図示せず）に落下させて１包分ずつに分割し、各分割容器の底板を開放することにより落下させた散薬を順次包装ユニットで包装できるようにしたものである。
【００１７】
印刷ユニット５は、ロール８に巻回した包装紙９を巻き戻し、印刷を施した後、包装ユニット６へと搬送するようにしたものである。包装紙９は、ガイド部１０によって水平方向に方向変換され、その上面側で熱転写部１１によってインクリボン１２のインクを熱転写される。印刷された包装紙９は、第１ローラ１３で上方に方向変換され、ガイド片１４によってガイドされて上昇し、第２ローラ１５で斜め下方に方向変換されて包装ユニット６へと向かう。
【００１８】
前記インクリボン１２は、第１ロール１７に巻回されており、順次、巻き戻されて第２ロール１８に巻回される。各ロール１７，１８は筒状で、収容室４から引き出される側板１９に突設した軸部２０が挿通し、回転自在に支持される。インクリボン１２は、周囲４箇所に設けたガイド軸２１の両端部に保持プレート２２を装着されてカートリッジ２３を構成する。カートリッジ２３は、第１ロール１７及び第２ロール１８に軸部２０を挿通し、下方側でインクリボン１２を熱転写部１１とガイド部１０との間に位置決めし、軸部２０にナット等を螺合することにより側板１９に取り付けられる。
【００１９】
印刷ユニット５は、側板１９に取り付けられる。側板１９は、天板２４に設けたスライド支持部２５に支持され、収容室４から引き出すことができるようになっている。スライド支持部２５では、天板２４に所定寸法だけ突出可能にスライドする第１支持レール（図示せず）に第１スライドレール２６がスライド自在に支持されている。第１スライドレール２６には、クランク状に屈曲したガイド板２７の下板部上面がネジ等により固定されている。ガイド板２７の上板部下面には、第２支持レール（図示せず）が所定寸法だけ突出可能にスライドするように取り付けられている。また、第２支持レールには第２スライドレール２８がスライド自在に取り付けられている。そして、第２スライドレール２８に前記側板１９が固定されている。
【００２０】
包装ユニット６は、前記印刷ユニット５で印刷した包装紙９を、２つ折り、あるいは、予め２つ折りにした状態で、シール部２９にて、長手方向に所定間隔でシールし、形成された袋部に、前記錠剤供給部２又は前記散薬供給部３から供給される薬剤を回収ホッパー３０を介して回収し、残る１辺をシールするようにしたものである。また、包装紙９は、包装ユニット６を通過する際、カッター３１にてシール部２９に切れ目を形成される。カッター３１には、図８（ａ）に示すように、複数の刃３１ａを所定間隔で並設したものを使用する。各刃は、所定の肉厚を有し、刃先が断面三角形で、肉厚方向に傾斜する刃面を有する構成となっている。また、３１ｂは切り刃で、包装紙９の側縁に切断のきっかけとなる切れ目を入れる。このような刃３１ａ，３１ｂを有するカッター３１であれば、シリコンゴム等からなる当て板３２との間で包装紙９を挟持することにより、簡単に切れ目を入れることができる。形成された切れ目は、図８（ｂ）に示すように、三角形の開口部が並設された状態となる。したがって、簡単に各薬包体９ａの間を切断することができる。しかも、切断後の縁部には鋸刃状となるため、服用時に簡単に破って包装した薬剤を取り出すことができる。なお、カッター３１には、図８（ｃ）に示すように、各刃３１ａ（３１ｂを含む）間に隙間を形成しないように構成することも可能である。
【００２１】
次に、前記薬剤包装装置の動作を説明する。ここでは、インクリボン１２を交換する等、印刷ユニット５のメンテナンスを行う場合についてのみ言及する。
【００２２】
メンテナンスでは、まず、収容室４から印刷ユニット５を引き出す。このとき、天板２４から第１支持レールと第１スライドレール２６が共に所定寸法だけ突出した後、第１支持レールに沿って第１スライドレール２６がスライド移動する。これにより、第１スライドレール２６に固定したガイド板２７が突出する。さらに、ガイド板２７から第２支持レールと第２スライドレール２８が共に所定寸法だけ突出した後、第２支持レールに沿って第２スライドレール２８がスライド移動する。これにより、第２スライドレール２８に固定した側板１９と、この側板１９に取り付けた印刷ユニット５とが収容室４から引き出される。
【００２３】
インクリボン１２を交換する場合、印刷ユニット５のカートリッジ２３を新しいものと交換すればよい。この場合、印刷ユニット５の上方側には第１スライドレール２６が位置せず、詰まり等が発生した場合でも視認性に優れ、作業しやすい。
【００２４】
このように、印刷ユニット５は、第１スライドレール２６を引き出すことができるだけでなく、その引き出し位置からさらに第２スライドレール２８を引き出すことができる。したがって、収容室４の奥行き寸法が小さい場合であっても、印刷ユニット５を作業しやすい位置まで移動させることができ、メンテナンスを容易に行うことが可能である。
【００２５】
なお、前記実施形態では、スライド支持部２５を第１スライドレール２６と第２スライドレール２８の２段階で引き出し可能としたが、３段階以上で引き出し可能な構成とすることもできる。
【００２６】
また、前記実施形態では、スライド支持部材を印刷ユニット５の上方側に配設するようにしたが、下方側に配設することも可能である。これによれば、上方側に印刷ユニット５を遮る部材を完全に排除することができるので、より一層メンテナンス性が高まる。
【００２７】
【発明の効果】
以上の説明から明らかなように、本発明によれば、スライド支持部材により印刷ユニットを引き出し可能としたので、作業しづらい収容室内を避け、装置本体の外部で印刷ユニットをメンテナンスすることができ、作業性を向上させることが可能となる。
【図面の簡単な説明】
【図１】本実施形態に係る薬剤包装装置の斜視図である。
【図２】図１に示す薬剤包装装置の側面図である。
【図３】図１の印刷ユニットを完全に引き出した状態を示す斜視図である。
【図４】図３の印刷ユニットの側面図である。
【図５】図３の印刷ユニットの正面図である。
【図６】図１の印刷ユニットを途中まで引き出した状態を示す斜視図である。
【図７】図１の印刷ユニットを引き出す前の状態を示す斜視図である。
【図８】（ａ）はカッターにより包装紙に切れ目を入れる前の状態を示す概略図、（ｂ）は包装紙を切れ目で切断する前後を示す平面図、（ｃ）は他のカッターを示す概略図である。
【符号の説明】
１…装置本体
２…錠剤供給部
３…散薬供給部
４…収容室
５…印刷ユニット
６…包装ユニット
７…Ｖ枡
８…ロール
９…包装紙
１０…ガイド部
１１…熱転写部
１２…インクリボン
１３…第１ローラ
１４…ガイド片
１５…第２ローラ
１７…第１ロール
１８…第２ロール
１９…側板
２０…軸部
２１…補助ロール
２２…保持プレート
２３…カートリッジ
２４…天板
２５…スライド支持部
２６…第１スライドレール
２７…ガイド板
２８…第２スライドレール
２９…シール部
３０…回収ホッパー
３１…カッター
３２…当て板
【図１】
2004306973.tif 000003
【図２】
2004306973.tif 000004
【図３】
2004306973.tif 000005
【図４】
2004306973.tif 000006
【図５】
2004306973.tif 000007
【図６】
2004306973.tif 000008
【図７】
2004306973.tif 000009
【図８】
2004306973.tif 000010